(57)【要約】【課題】車載の空調装置の送風を利用しつつナノサイズミストを有効に発生させる。【課題を解決するための手段】  放電電極を冷却して空気中の水分を基に水を生成させる冷却手段と、放電電極における放電で上記水を静電霧化して得たミストを放出する放出口とを備え、車載用空調装置の吹出口から吐出される風に上記ミストを乗せて車室内に導くものであり、車載用空調装置の吹出口に至る送風路外に設置されて、上記送風路に上記ミストを導く導入管と、車室内に開口する吸引口から車室内空気を放電電極付近に導く通気路を備える。通気路を通じて取り込んだ車室内空気から上記水分を発生させるために、送風路を流れる調整された空気の影響を受けることなく結露水を生成してナノサイズミストを発生させて、送風路を流れて吹出口から車室内に吹き出す風にナノサイズミストを効率良く乗せることができる。【選択図】図１
2008105613.tif 000002
【特許請求の範囲】
【請求項１】
放電電極及びこれに対向するとともに放電電極との間に高圧が印加される対向電極と、上記放電電極を冷却して放電電極部分に空気中の水分を基に静電霧化させるための水を生成させる冷却手段とを備えて、車載用空調装置の吹出口から吐出される風に静電霧化で発生させたミストを乗せて車室内に導く静電霧化装置であって、車載用空調装置の吹出口に至る送風路外に設置されて、上記送風路に上記ミストを導く導入管を備えているとともに、車室内に開口する吸引口から車室内空気を放電電極付近に導く通気路を備えて、該通気路を通じて取り込んだ車室内空気から上記水分を発生させるものであることを特徴とする車両用静電霧化装置。
【請求項２】
上記吸引口は車両の運転席前方に位置していることを特徴とする請求項１記載の車両用静電霧化装置。
【請求項３】
上記通気路にエアフィルターが設けられていることを特徴とする請求項１または２記載の車両用静電霧化装置。
【請求項４】
ミストを送風路に導く上記導入管内に、送風路内を流れる風の速度とほぼ同じ速度の風を流す送風手段を備えていることを特徴とする請求項１〜３のいずれか１項に記載の車両用静電霧化装置。
【発明の詳細な説明】
【技術分野】
【０００１】
本発明は、車両用の静電霧化装置に関するものである。
【背景技術】
【０００２】
乗用車等の車両にあっては車室内が密閉空間となっているため車室内に煙草等の臭いがこもるという問題がある。このために濾過式の空気浄化装置が各種提供されているが、車室内の壁面等に付着した臭い成分を除去することはできない。
【０００３】
ここにおいて、水を霧化させてナノメータサイズの帯電微粒子水（ナノサイズミスト）を発生させる静電霧化装置（特許文献１参照）が注目されている。この静電霧化装置が発生するナノサイズミストはスーパーオキサイドラジカルやヒドロキシラジカルといったラジカルが含まれていて、脱臭効果や、ウイルス・カビ菌の抑制効果、アレル物質不活化効果等があることから近年注目されている。このために上記ナノサイズミストを車室内に送り出すことで、車室内の空気中の臭い成分だけでなく、車室内の壁面やシート等に付着した臭い成分の脱臭も行うことができるとともに、人の衣服に付着して車室内に持ち込まれた花粉等のアレル源も抑制することができる。
【０００４】
この場合、車室内にナノサイズミストを行き渡らせるという点からは、車両が備える空調装置が出力する風にナノサイズミストを乗せることが一番好ましいことになるが、静電霧化装置として、高電圧が印加される放電電極への水の供給を放電電極を冷却して空気中の水分を結露させることで行うものを用いると、空調装置のエバポレータやヒータ以降の送風路中に静電霧化装置を配置したのでは、空調装置において高温度あるいは低湿度の空気を送風する時、ナノサイズミストが発生するまでに非常に時間がかかることになる。また、エバポレータより前の送風路中に置いた場合には、空調装置において外気導入を選択した時、零度以下の環境条件に置かれる場合があり、この時には放電電極を冷却してもその表面に結露を生じさせることができないために、ナノサイズミストを発生させることができない。
【特許文献１】特許第３２６０１５０号公報
【発明の開示】
【発明が解決しようとする課題】
【０００５】
本発明は上記の従来の問題点に鑑みて発明したもので、ナノサイズミストを有効に発生させることと車載の空調装置の送風を利用することとを両立させることができる車両用静電霧化装置を提供することを課題とするものである。
【課題を解決するための手段】
【０００６】
上記課題を解決するために本発明に係る静電霧化装置は、放電電極及びこれに対向するとともに放電電極との間に高圧が印加される対向電極と、上記放電電極を冷却して放電電極部分に空気中の水分を基に静電霧化させるための水を生成させる冷却手段とを備えて、車載用空調装置の吹出口から吐出される風に静電霧化で発生させたミストを乗せて車室内に導く静電霧化装置であって、車載用空調装置の吹出口に至る送風路外に設置されて、上記送風路に上記ミストを導く導入管を備えているとともに、車室内に開口する吸引口から車室内空気を放電電極付近に導く通気路を備えて、該通気路を通じて取り込んだ車室内空気から上記水分を発生させるものであることに特徴を有している。
【０００７】
送風路を流れる調整された空気の影響を受けることなく車室内の空気から結露水を生成してナノサイズミストを発生させることができるものであり、また送風路を流れて吹出口から車室内に吹き出す風にナノサイズミストを効率良く乗せることができる。
【０００８】
上記吸引口は車両の運転席前方に位置していることが、運転者の呼気のために湿度が高くなっている空気が得やすい。
【０００９】
上記通気路にエアフィルターを設けておけば、車室内のゴミや埃が原因で静電霧化動作に支障が生じることを防ぐことをできる。
【００１０】
ミストを送風路に導く上記導入管内に、送風路内を流れる風の速度とほぼ同じ速度の風を流す送風手段を備えていると、送風路を流れる風にナノサイズミストを乗せる部分で乱流が生じにくく、効率よく室内にナノサイズミストを散布することができる。
【発明の効果】
【００１１】
本発明は、放電電極を冷却して放電電極部分に空気中の水分を基に静電霧化させるための水を生成してこの水を静電霧化するために、水の補給の必要がないものであり、しかも送風路を流れる調整された空気の影響を受けることなく結露水の生成とナノサイズミストの発生とを行うことができる。特に比較的温度が安定した車室内の空気を取り込んで結露させるために、結露による水分供給を安定的に行うことができる。また発生させたナノサイズミストは送風路を流れる風に確実に乗せて吹出口から車室内に行き渡らせることができる。
【発明を実施するための最良の形態】
【００１２】
以下、本発明を添付図面に示す実施形態に基いて説明すると、図３において、図中２は車両内に設置される空調装置であり、空調ダクトからなる送風路２０を備えているとともに、一端が吸込口２１となっている上記送風路２０の他端は複数に分岐して夫々吹出口２２となっている。上記吸込口２１は、切換手段（図示せず）によって車外又は車室内のいずれかに選択的に連通する。
【００１３】
また、上記送風路２０内には、ブロアファン２３とエアフィルタ２４，エバポレータ２５、ヒータ２６が配設されている。上記ブロアファン２３の作動により、吸込口２１からエアフィルタ２４を介して車外の空気又は車室内の空気が吸い込まれて送風路２０に送り出され、吹出口２２から車室内に向けて風が吹き出す。上記エバポレータ２５はコンプレッサ及びコンデンサ（図示せず）を備える冷房用冷媒循環路中にあって冷凍サイクルを形成するものであり、液状の冷媒がエバポレータ２５において送風路２０内の空気と熱交換する時、車室内に送り出される空気が冷やされるとともに除湿される。また前記ヒータ２６は電動ポンプを備えてエンジンの冷却水が流れる熱媒循環路中にあり、上記電動ポンプによってエンジンにて加熱された熱媒（冷却水）が送風路２０内の空気と熱交換する時、車室内に送り出される空気が温められる。
【００１４】
一方、ナノメータサイズの帯電微粒子水（ナノサイズミストＭ）を発生させる静電霧化装置１は、図２に示すように、放電電極１１と、この放電電極１１を囲む絶縁材からなる筒体１６の先端開口部に配設されて上記放電電極１１に対向するリング状の対向電極１２と、上記放電電極１１を冷却することで空気中の水分を放電電極１１上に結露させる冷却手段１３と、放電電極１１と対向電極１２との間に高電圧を印加する高圧電源部１５とからなるもので、ペルチェ素子で構成されているとともに冷却側に上記放電電極１１が熱的に接続されている上記冷却手段１３は、その放熱側に放熱フィン１４を備えている。
【００１５】
この静電霧化装置１では、冷却手段１３で放電電極１１を冷却することで空気中の水分を結露させて放電電極１１上に結露水を生成するとともに、上記電極１１，１２間に高電圧を印加すれば、上記結露水は放電電極１１の先端に集まるとともに対向電極１２との間の放電によってレイリ一分裂を繰り返してナノサイズミストＭとなり、上記のモータファン１４による風に乗って前記放出口１７から外部に吐出される。
【００１６】
ここにおいて、上記静電霧化装置１は、図１に示すように、前記空調装置２における送風路２０外に設置されているとともに、上記放出口１７に接続された導入管１８が送風路２０における吹出口２２の近傍において送風路２０内に入り込んで、導入管２０の先端開口が送風路２０内における風の流れの方向に向けられている。
【００１７】
また、上記静電霧化装置１は、車室内に開口する吸引口３０を一端に備えた通気路３が接続されており、この通気路３内には放熱フィン１４に冷却風を送るモータファン１８と、エアフィルター３１とが設置されており、上記冷却手段１３で冷却される空気は、モータファン１４の作動によって上記通気路３を通じて取り込まれた車室内の空気となっている。そしてモータファン１４から静電霧化装置１に送られる風の一部は上記筒体１６の側面開口から前記筒体１６内に入り、筒体１６の先端開口である放出口１７から上記導入管１８を通じて上記送風路２０内に送り込まれる。
【００１８】
上記吸引口３０は、図４及び図５に示すように、車室の前方側に配されたインパネ部分に位置すること、殊に運転席の前方に位置することが好ましく、またフロアマット等のゴミが入り込まない高さにあることが望ましい。更には空調装置２の吹出口２２から吐出される風の影響を避けるために、吹出口２２からは少なくとも１０ｃｍ、好ましくは１５ｃｍ以上離れたところに位置させておくことが望ましい。
【００１９】
このものにおいては、静電霧化装置１が送風路２０外にあるために、送風路２０を流れる調整された空気の影響を受けることなく結露水を生成してナノサイズミストＭを発生させることができるものであり、特に運転者が存在する運転席付近の湿度が高い空気を吸引口３０から取り込んでこれを冷却することで結露させるために、水分供給を確実に行えるものであり、ナノサイズミストＭが発生するまでに時間がかかることはない。
【００２０】
そして放出口１７から導入管１８を経て送風路２０内に入ったナノサイズミストＭは、送風路２０内を流れる風に乗って吹出口２２から車室内に拡散される。この時、導入管１８の先端開口が送風路２０内の風の流れにおける吹出口２２の方向に向けられているために、上記風の流れが導入管１８の先端開口からのナノサイズミストＭの吐出を妨げてしまうようなことがない。
【００２１】
上記導入管１８としては、帯電しにくい材質からなるとともに、車両への設置並びに気流の都合上、軟質材からなる可撓性を有するとともに内面が滑らかなもの、たとえばＰＶＣ管からなるものを用いてナノサイズミストＭの流れに乱流が生じることを防ぎ、導入管１８の先端開口から吐出されるナノサイズミストＭの量が大きく減少してしまわないようにしている。
【００２２】
通気路３内に配した前記エアフィルター３１は、静電霧化に影響するサイズが大きい埃を遮断するためのもおで、たとえば０．５〜１．０ｍｍ間隔の格子状のものを好適に用いることができる。もちろん、これより細かい格子のものであってもよいが、この場合、目詰まりしやすくなる。
【００２３】
モータファン１４としては、その送風量が可変となっているものを用いるとともに、送風路２０内を流れる風の速度の検知手段の出力、もしくは前記ブロアファン２３の回転数に合わせてモータファン１４の送風量を制御する制御部を設けることで、送風路２０内の風速とほぼ等しい速度の風を上記導入管１８内において得られるようにすることが好ましい。導入管１８から吐出するナノサイズミストＭが送風路２０を流れる風に乗りやすくなり、車室内への散布効率が高くなる。
【図面の簡単な説明】
【００２４】
【図１】本発明の実施の形態の一例の概略断面図である。
【図２】同上の静電霧化ユニット部分の断面図である。
【図３】同上の空調装置の全体構成を示す概略断面図である。
【図４】同上の車室内の斜視図である。
【図５】同上の概略断面図である。
【符号の説明】
【００２５】
１  静電霧化装置
２  空調装置
３  通気路
１８  導入管
２０  送風路
３０  吸引口
【図１】
2008105613.tif 000003
【図２】
2008105613.tif 000004
【図３】
2008105613.tif 000005
【図４】
2008105613.tif 000006
【図５】
2008105613.tif 000007